(57)【要約】【課題】属性情報に不整合が存在する記録媒体を繰り返し供給することを低減することできる画像形成装置を提供する。【解決手段】画像形成装置１は、用紙を収容する複数の給紙トレイにそれぞれ対応して用紙サイズをトレイ設定情報６１０として記憶する記憶部６１と、印刷指示情報に基づいて複数の給紙トレイのうち指定された複数の給紙トレイから画像形成部５に用紙を供給する用紙搬送部３と、用紙搬送部３から供給された用紙の用紙サイズを検出する用紙サイズ検出手段６０３と、指定された給紙トレイに対応してトレイ設定情報６１０に記憶された用紙サイズと、用紙サイズ検出手段６０３により検出された用紙サイズとを比較し、両者の間で不整合を検知したとき、検出された用紙サイズでトレイ設定情報６１０の用紙サイズを書き換えるトレイ設定情報管理手段６０４とを備える。【選択図】図１
2010145513.tif 000002
【特許請求の範囲】
【請求項１】
記録媒体を収容する複数の収容部にそれぞれ対応して前記記録媒体の属性情報を記憶する記憶手段と、
印刷指示情報に基づいて前記複数の収容部のうち指定された収容部から画像形成部に前記記録媒体を供給する供給手段と、
前記供給手段から供給された前記記録媒体の属性情報を検出する検出手段と、
前記指定された収容部に対応して前記記憶手段に記憶された前記属性情報と、前記検出手段により検出された前記属性情報とを比較し、両者の間で不整合を検知したとき、前記検出手段により検出された前記属性情報で前記記憶手段の前記属性情報を書き換える書換手段とを備えた画像形成装置。
【請求項２】
前記記憶手段は、前記不整合を検知したときに前記検出手段により検出された前記属性情報で前記記憶手段の前記属性情報を書き換えるか否かを設定する設定情報を前記複数の収容部毎に記憶し、
前記書換手段は、前記不整合を検知したとき、前記記憶手段に記憶された前記設定情報に応じて前記属性情報の書き換えを制御する請求項１に記載の画像形成装置。
【請求項３】
前記記憶手段は、前記不整合を検知したときに前記画像形成部による動作を継続するか、前記画像形成部による動作を停止して前記供給手段により供給された前記記録媒体を排出するか、又は前記記録媒体を排出せずに前記画像形成部による動作を停止するかを設定する設定情報を前記複数の収容部毎に記憶し、
さらに、前記不整合を検知したとき、前記記憶手段に記憶された前記設定情報に応じて前記供給手段及び前記画像形成部を制御する制御手段を備えた請求項１に記載の画像形成装置。
【請求項４】
前記記憶手段は、前記不整合を検知したときに前記指定された収容部からの前記記録媒体の供給を停止するか否かを設定する設定情報を前記複数の収容部毎に記憶し、
さらに、前記不整合を検知したとき、前記記憶手段に記憶された前記設定情報に応じて前記供給手段を制御する制御手段を備えた請求項１に記載の画像形成装置。
【請求項５】
前記複数の収容部は、前記記録媒体が交換されたことを検出する記録媒体交換検出手段を有し、
前記制御手段は、前記記録媒体の供給を停止した収容部が有する前記記録媒体交換検出手段により前記記録媒体が交換されたことが検出されたとき、前記記録媒体の供給を停止した収容部からの前記記録媒体の供給を再開する請求項４に記載の画像形成装置。
【請求項６】
前記制御手段は、前記記録媒体の供給を停止した収容部の属性情報が変更されたとき、又は前記記録媒体の供給を停止した収容部に対応する前記設定情報が前記記録媒体の供給を停止しないように変更されたとき、前記記録媒体の供給を停止した収容部からの前記記録媒体の供給を再開する請求項４に記載の画像形成装置。
【発明の詳細な説明】
【技術分野】
【０００１】
本発明は、画像形成装置に関する。
【背景技術】
【０００２】
従来、給紙された記録用紙のサイズを検知した検知紙サイズと、指定された指定紙サイズとが不一致であるときに、その紙サイズ不一致を無視するか否かの設定に応じて画像形成動作を制御する画像形成装置が提案されている（例えば、特許文献１参照。）。
【０００３】
この画像形成装置は、給紙された記録用紙のサイズを検知する紙サイズ検知手段と、検知された検知紙サイズと指定された指定紙サイズとを比較し、両紙サイズの不一致を紙サイズエラーとして検出する紙サイズ比較手段と、紙サイズ不一致を無視するか否かをユーザが設定する手段と、紙サイズエラーの検知時に、紙サイズ不一致を無視する設定がなされているとき画像形成動作を続行し、紙サイズ不一致を無視する設定がなされていないとき画像形成動作を中止するよう画像形成部を制御する制御手段とを備える。
【特許文献１】特開２００３−９５４８２号公報
【発明の開示】
【発明が解決しようとする課題】
【０００４】
本発明の目的は、属性情報に不整合が存在する記録媒体を繰り返し供給することを低減することできる画像形成装置を提供することにある。
【課題を解決するための手段】
【０００５】
本発明の一態様は、上記目的を達成するため、以下の画像形成装置を提供する。
【０００６】
［１］記録媒体を収容する複数の収容部にそれぞれ対応して前記記録媒体の属性情報を記憶する記憶手段と、印刷指示情報に基づいて前記複数の収容部のうち指定された収容部から画像形成部に前記記録媒体を供給する供給手段と、前記供給手段から供給された前記記録媒体の属性情報を検出する検出手段と、前記指定された収容部に対応して前記記憶手段に記憶された前記属性情報と、前記検出手段により検出された前記属性情報とを比較し、両者の間で不整合を検知したとき、前記検出手段により検出された前記属性情報で前記記憶手段の前記属性情報を書き換える書換手段とを備えた画像形成装置。
【０００７】
［２］前記記憶手段は、前記不整合を検知したときに前記検出手段により検出された前記属性情報で前記記憶手段の前記属性情報を書き換えるか否かを設定する設定情報を前記複数の収容部毎に記憶し、前記書換手段は、前記不整合を検知したとき、前記記憶手段に記憶された前記設定情報に応じて前記属性情報の書き換えを制御する前記［１］に記載の画像形成装置。
【０００８】
［３］前記記憶手段は、前記不整合を検知したときに前記画像形成部による動作を継続するか、前記画像形成部による動作を停止して前記供給手段により供給された前記記録媒体を排出するか、又は前記記録媒体を排出せずに前記画像形成部による動作を停止するかを設定する設定情報を前記複数の収容部毎に記憶し、さらに、前記不整合を検知したとき、前記記憶手段に記憶された前記設定情報に応じて前記供給手段及び前記画像形成部を制御する制御手段を備えた前記［１］に記載の画像形成装置。
【０００９】
［４］前記記憶手段は、前記不整合を検知したときに前記指定された収容部からの前記記録媒体の供給を停止するか否かを設定する設定情報を前記複数の収容部毎に記憶し、さらに、前記不整合を検知したとき、前記記憶手段に記憶された前記設定情報に応じて前記供給手段を制御する制御手段を備えた前記［１］に記載の画像形成装置。
【００１０】
［５］前記複数の収容部は、前記記録媒体が交換されたことを検出する記録媒体交換検出手段を有し、前記制御手段は、前記記録媒体の供給を停止した収容部が有する前記記録媒体交換検出手段により前記記録媒体が交換されたことが検出されたとき、前記記録媒体の供給を停止した収容部からの前記記録媒体の供給を再開する前記［４］に記載の画像形成装置。
【００１１】
［６］前記制御手段は、前記記録媒体の供給を停止した収容部の属性情報が変更されたとき、又は前記記録媒体の供給を停止した収容部に対応する前記設定情報が前記記録媒体の供給を停止しないように変更されたとき、前記記録媒体の供給を停止した収容部からの前記記録媒体の供給を再開する前記［４］に記載の画像形成装置。
【発明の効果】
【００１２】
請求項１に係る発明によれば、属性情報に不整合が存在する記録媒体を繰り返し供給することを低減することできる。
【００１３】
請求項２に係る発明によれば、属性情報の不整合を検知した場合に属性情報を書き換えるかどうかを選択することができる。
【００１４】
請求項３に係る発明によれば、属性情報の不整合を検知した場合の動作を選択することができる。
【００１５】
請求項４に係る発明によれば、記録媒体の無駄な消費を低減することができる。
【００１６】
請求項５に係る発明によれば、記録媒体交換検手段を有していない場合に比較して、交換された記録媒体の供給再開を簡便に行うことができる。
【００１７】
請求項６に係る発明によれば、記録媒体を交換しなくても、設定の変更によって記録媒体の供給再開を行うことができる。
【発明を実施するための最良の形態】
【００１８】
本発明の実施の形態に係る画像形成装置は、記録媒体を収容する複数の収容部にそれぞれ対応して前記記録媒体の属性情報を記憶する記憶手段と、印刷指示情報に基づいて前記複数の収容部のうち指定された収容部から画像形成部に前記記録媒体を供給する供給手段と、前記供給手段から供給された前記記録媒体の属性情報を検出する検出手段と、前記指定された収容部に対応して前記記憶手段に記憶された前記属性情報と、前記検出手段により検出された前記属性情報とを比較し、両者の間で不整合を検知したとき、前記検出手段により検出された前記属性情報で前記記憶手段の前記属性情報を書き換える書換手段とを備える。
【００１９】
記録媒体は、画像を可視像として記録可能な媒体であり、例えば、用紙、フィルム、ＯＨＰシート及び葉書等を含む。
【００２０】
属性情報は、記録媒体の特性を示す情報であり、例えば、記録媒体のサイズ、色、材質、厚み等を含む。
【００２１】
上記構成において、印刷指示情報により指定された収容部から記録媒体が供給され、記憶手段に記憶された属性情報との間で不整合が検知されると、検出手段により検出された属性情報で記憶手段の属性情報が書き換えられる。従って、次回の印刷指示情報を受け付けるまでに収容部の記録媒体が交換されていない場合には、収容部に収容された属性情報が、記憶手段の属性情報に一致しているので、ユーザが属性情報を設定する手間や、属性情報が不整合であることに起因する画像形成品質の低下を低減することができる。
【００２２】
図１は、本発明の実施の形態に係る画像形成システムの概略構成の一例を示す全体図である。この画像形成システム１００は、画像形成装置１にネットワーク２００を介して情報処理装置３００が接続されて構成されている。
【００２３】
ネットワーク２００は、有線通信（電気ケーブル、光ケーブル等）、及び無線通信（電波、赤外線等）等によりデータの送受信を行うＬＡＮ（ローカルエリアネットワーク）、インターネット等の通信網である。
【００２４】
情報処理装置３００は、例えば、パーソナルコンピュータ（ＰＣ）、携帯情報端末（ＰＤＡ）、携帯電話機等により構成されている。情報処理装置３００は、文書データに対する印刷指示の操作を受け付けると、その文書データと、その操作に基づく印刷指示情報とをネットワーク２００を介して画像形成装置１に送信する。なお、図１では、情報処理装置３００は１つであるが、複数でもよい。
【００２５】
印刷指示情報は、例えば、トレイ、コピー枚数、印刷部数、片面・両面、用紙サイズ等が指定された情報である。
【００２６】
（画像形成装置）
画像形成装置１は、筐体等を構成する本体２と、所定の搬送路３０に沿って用紙（記録媒体）を画像形成部５に供給する用紙搬送部（供給手段）３と、原稿を光学的に読み取ってデジタルデータとしての読取画像データを生成する画像読取部４と、用紙に可視像としての画像を形成する画像形成部５と、画像形成装置１の各部を制御するコントローラ６とを備える。
【００２７】
本体２は、表示情報が限定された、例えば、７セグメントＬＥＤ等の表示部、及びスタートキー、設定キー等のハードキーを有する操作表示部２０と、例えば、Ａ４，Ｂ４等のサイズ毎に用紙を収容する第１乃至第３の給紙トレイ（収容部）２１Ａ〜２１Ｃと、本体２の外部から手差しされた用紙を画像形成部５に供給する手差しトレイ２２と、画像形成部５により画像が形成された用紙が排出される排紙トレイ２３と、一括して置かれた原稿を画像読取部４に読取対象の原稿として順次供給する原稿供給トレイ２４と、画像読取部４により読み取られた原稿が排出される原稿排出トレイ２５と、読取対象の原稿を置くプラテン２６とを備える。
【００２８】
第１乃至第３の給紙トレイ２１Ａ〜２１Ｃは、本体２から引き出し式に開閉できるとともに、その開閉が行われたことを検出する開閉検出センサ（記録媒体交換検出手段）等が設けられている。なお、給紙トレイ２１Ａ〜２１Ｃの数は、２つでもよいし、４つ以上でもよい。
【００２９】
用紙搬送部３は、第１乃至第３の給紙トレイ２１Ａ〜２１Ｃ又は手差しトレイ２２のうち印刷指示情報において指定されたトレイ（以下、「指定トレイ」という）から用紙を画像形成部５に搬送する複数の搬送ローラ３１と、搬送ローラ３１により搬送された用紙の有無を検出する複数の用紙有無センサ３２とを備える。なお、用紙有無センサ３２は、反射型センサでもよいし、透過型センサでもよい。
【００３０】
画像読取部４は、読取対象の原稿が有する所定の面を光学的に読み取る、例えば、イメージセンサ等の光電変換素子と、光電変換素子から出力されるアナログ信号をデジタル信号に変換して、読取画像データを生成するＡ／Ｄ変換器とを備える。
【００３１】
画像形成部５は、画像形成対象の画像データに基づいて光信号を生成する露光部５０と、露光部５０からの光を所定の方向へ反射させるミラー５１と、ミラー５１からの光に基づいて表面に潜像が形成されるとともに、この潜像にトナーによるトナー像が形成される感光体ドラム５２と、感光体ドラム５２上のトナー像を用紙の所定の面に転写する転写部５３と、転写されたトナー像を熱及び加圧力により用紙上に画像として定着させる定着器５４とを備える。
【００３２】
なお、画像形成部５により形成される画像は、白黒でもよいしカラーでもよい。また、画像形成部５は、上記の電子写真方式の代わりに、インクジェット方式、感熱転写方式、プロッタ方式等の画像形成方式を用いてもよいし、それらに限られない。
【００３３】
（画像形成装置の制御系）
図２は、画像形成装置の制御系の概略構成の一例を示すブロック図である。この画像形成装置１のコントローラ６には、上記の用紙搬送部３、画像読取部４、画像形成部５及び操作表示部２０がそれぞれ接続されている。
【００３４】
コントローラ６は、例えば、ＣＰＵ等により実現される制御部６０と、プログラムやデータ等を記憶するＲＯＭ，ＲＡＭ，ハードディスク等により実現される記憶部（記憶手段）６１と、ネットワーク２００に接続された、例えば、ネットワークインタフェースカードにより実現される通信部６２とを備える。
【００３５】
記憶部６１には、後述する図４のフローチャートに示す各ステップを実行する制御プログラム６１０と、第１乃至第３の給紙トレイ２１Ａ〜２１Ｃにそれぞれ対応する用紙の属性情報等を含むトレイ設定情報６１１とが記憶されている。なお、本実施の形態では、属性情報として設定用紙サイズを用いる。また、トレイ設定情報６１１の詳細は後述する。
【００３６】
制御部６０は、制御プログラム６１０に従って動作することにより、画像処理手段６００、用紙搬送制御手段（制御手段）６０１、用紙サイズ検出手段（検出手段）６０２、不整合検知手段６０３、及びトレイ設定情報管理手段（書換手段）６０４等として機能する。
【００３７】
画像処理手段６００は、画像読取部４及び画像形成部５を制御し、画像読取部４及び画像形成部５で用いる画像データの加工、変換等の画像処理を行う。
【００３８】
用紙搬送制御手段６０１は、指定トレイから用紙を画像形成部５に供給するように用紙搬送部３を制御するとともに、トレイ設定情報に記録された後述する各種設定パラメータに応じて用紙搬送部３を制御する。
【００３９】
用紙サイズ検出手段６０２は、用紙有無センサ３２の検出状態から用紙搬送部３により搬送された用紙の用紙サイズを検出する。以下では、用紙サイズ検出手段６０２により検出された用紙サイズを「検出用紙サイズ」という。
【００４０】
不整合検知手段６０３は、トレイ設定情報６１１において指定トレイに対応して記憶された設定用紙サイズと、用紙サイズ検出手段６０２による検出用紙サイズとを比較し、両者の間で不整合が発生していることを検知する。
【００４１】
トレイ設定情報管理手段６０４は、不整合検知手段６０３により不整合が検知されたとき、検出用紙サイズでトレイ設定情報６１１の指定トレイに対する設定用紙サイズを書き換える。
【００４２】
図３は、トレイ設定情報の一例を示す図である。このトレイ設定情報６１１には、第１乃至第３の給紙トレイ２１Ａ〜２１Ｃ毎に、不整合トレイ動作設定パラメータと、用紙サイズ自動設定パラメータと、不整合トレイ使用可否パラメータと、設定用紙サイズ（属性情報）と、用紙サイズ不整合状態とが記録されている。なお、トレイ設定情報６１１には、手差しトレイ２２及び原稿供給トレイ２４のレコードが設けられていてもよい。
【００４３】
トレイ設定情報６１１は、操作表示部２０を介してユーザにより変更可能に構成されている。また、図３の例では、不整合トレイ動作設定パラメータ、用紙サイズ自動設定パラメータ及び不整合トレイ使用可否パラメータにおいてユーザにより設定された現在の設定値６１１ａには、黒丸が付されている。
【００４４】
不整合トレイ動作設定パラメータは、不整合検知手段６０３により不整合が検知されたときの動作を設定する設定情報であり、「継続」、「停止」及び「排出」の３つの設定値を取り得る。
【００４５】
不整合トレイ動作設定パラメータの設定値６１１ａが「継続」の場合には、不整合が検知された用紙に対して画像形成部５による画像形成動作を継続する。設定値６１１ａが「排出」の場合には、画像形成部５による画像形成動作を停止して、不整合が検知された用紙を白紙のまま排出する。設定値６１１ａが「停止」の場合には、不整合が検知された用紙を排出せずに画像形成部５による画像形成動作を停止する。
【００４６】
用紙サイズ自動設定パラメータは、不整合検知手段６０３により不整合が検知されたときに、検出用紙サイズでトレイ設定情報６１１の指定トレイに対する設定用紙サイズを書き換えるか否かを「オン」及び「オフ」の２つの設定値で設定する設定情報である。
【００４７】
不整合トレイ使用可否パラメータは、不整合検知手段６０３により不整合が検知されたときに、指定トレイからの用紙の供給を停止するか否かを「可」及び「不可」の２つの設定値で設定する設定情報である。
【００４８】
（画像形成システムの動作）
図４は、画像形成装置の動作の一例を示すフローチャートである。ここでは、ユーザが画像形成装置１を操作し、プラテン２６上に置かれた原稿のコピーを行う場合について説明する。
【００４９】
まず、ユーザが、読取対象の原稿をプラテン２６上に置いて、操作表示部２０により、例えば、トレイ、コピー枚数等を指定したコピー指示の操作を行うと、制御部６０は、そのコピー指示を印刷指示情報として受け付ける（Ｓ１）。
【００５０】
次に、画像処理手段６００は、画像読取部４に原稿の読取開始命令を送ると、画像読取部４の光電変換素子によりプラテン２６上の原稿が光学的に読み取られ、Ａ／Ｄ変換器により読取画像データが生成される（Ｓ２）。
【００５１】
次に、用紙搬送制御手段６０１は、画像読取部４の動作と並行して、印刷指示情報の指定トレイから用紙を搬送すべく、搬送ローラ３１に回転速度を含む回転命令を送る。そして、搬送ローラ３１は、その回転命令に従って回転することにより、指定トレイから用紙が搬送され、搬送路３０に沿って画像形成部５に供給される（Ｓ３）。
【００５２】
そして、用紙有無センサ３２は、搬送ローラ３１による用紙の搬送に伴い、用紙の有無を示す検出状態信号を用紙サイズ検出手段６０２に送ると、用紙サイズ検出手段６０２は、搬送ローラ３１の回転速度から用紙の搬送速度を求めるとともに、用紙有無センサ３２の検出状態信号から、用紙有無センサ３２上を用紙の先端が通過してから用紙野後端が通過するまでの通過時間を求める。そして、用紙サイズ検出手段６０２は、その搬送速度と通過時間とから搬送路３０の搬送方向の用紙サイズを検出する（Ｓ４）。
【００５３】
次に、不整合検知手段６０３は、用紙サイズ検出手段６０２により検出された検出用紙サイズと、トレイ設定情報６１１の指定トレイに対する設定用紙サイズとの間で不整合があるか否かを判定する（Ｓ１０）。
【００５４】
そして、用紙搬送制御手段６０１は、その判定の結果、検出用紙サイズが設定用紙サイズに一致せずに、検出用紙サイズと設定用紙サイズとの間で不整合を検知した場合には（Ｓ１０：Ｙｅｓ）、その指定トレイに対する用紙サイズ不整合状態に「不整合あり」を記録する（Ｓ１１）。
【００５５】
次に、画像処理手段６００、用紙搬送制御手段６０１及びトレイ設定情報管理手段６０４等は、その指定トレイに対する不整合トレイ動作設定パラメータの設定値に応じて、「継続」、「停止」又は「排出」に分岐して処理する（Ｓ２０）。
【００５６】
不整合トレイ動作設定パラメータが「継続」と設定されている場合には（Ｓ２０：「継続」）、トレイ設定情報管理手段６０４は、その指定トレイに対する用紙サイズ不整合状態に「不整合なし」を記録する（Ｓ３０）。次に、トレイ設定情報管理手段６０４は、その指定トレイに対する用紙サイズ自動設定パラメータの設置値が「オン」の場合には（Ｓ３１：「オン」）、トレイ設定情報６１１の設定用紙サイズに検出用紙サイズを記録する（Ｓ３２）。
【００５７】
そして、画像処理手段６００は、上記ステップＳ２で生成した読取画像データを画像形成部５の露光部５０に送り、ミラー５１、感光体ドラム５２及び転写部５３等を介して、その読取画像データに基づく画像を搬送ローラ３１により供給された用紙に形成し、用紙搬送制御手段６０１は、搬送ローラ３１を制御して、その用紙を排紙トレイ２３に排出する（Ｓ３３）。
【００５８】
なお、上記ステップＳ１０において、不整合検知手段６０３が、検出用紙サイズが設定用紙サイズに一致し、検出用紙サイズと設定用紙サイズとの間で不整合を検知しなかった場合には（Ｓ１０：Ｎｏ）、上記ステップＳ３３に進み、その用紙に画像形成を行い、排紙トレイ２３に排出する（Ｓ３３）。
【００５９】
また、不整合トレイ動作設定パラメータが「停止」と設定されている場合には（Ｓ２０：「停止」）、用紙搬送制御手段６０１は、操作表示部２０に用紙サイズが不整合である旨を示すエラーメッセージを表示し、用紙サイズ不整合エラーで停止する（Ｓ４０）。
【００６０】
また、不整合トレイ動作設定パラメータが「排出」と設定されている場合には（Ｓ２０：「排出」）、用紙搬送制御手段６０１は、その用紙に対して画像形成部５による画像形成を行わないまま、その用紙を排紙トレイ２３に排出する（Ｓ５０）。
【００６１】
そして、トレイ設定情報管理手段６０４は、その指定トレイに対する不整合トレイ使用可否パラメータの設置値が「可」であって（Ｓ５１：「可」）、用紙サイズ自動設定パラメータの設置値が「オン」の場合には（Ｓ５２：「オン」）、トレイ設定情報６１１の設定用紙サイズに検出用紙サイズを記録し（Ｓ５３）、終了する。
【００６２】
一方、トレイ設定情報管理手段６０４は、その指定トレイに対する不整合トレイ使用可否パラメータの設置値が「不可」の場合には（Ｓ５１：「不可」）、上記ステップＳ５１に進み、用紙サイズ不整合エラーで停止する（Ｓ５１）。
【００６３】
また、用紙搬送制御手段６０１は、用紙サイズ不整合状態に「不整合あり」と記録された給紙トレイからの新たな用紙の供給を停止する。その後、例えば、給紙トレイの開閉が開閉検出センサにより検出された場合には、用紙搬送制御手段６０１は、その給紙トレイからの用紙の供給を再開する。
【００６４】
また、ユーザが操作表示部２０を操作して、（１）用紙サイズ不整合状態に「不整合あり」と記録された給紙トレイの設定用紙サイズが変更された場合、（２）不整合トレイ使用可否パラメータが「可」に変更された場合、（３）用紙サイズ不整合状態が「不整合なし」に変更された場合には、用紙搬送制御手段６０１は、その給紙トレイからの用紙の供給を再開する。
【００６５】
なお、画像形成装置１が、情報処理装置３００から文書データ及び印刷指示情報を受け付けた場合には、図４に示すフローチャートにおいて読取画像データの生成（ステップＳ２）を省略し、その後のステップでは読取画像データを文書データに置き換えて処理すればよい。
【００６６】
［他の実施の形態］
なお、本発明は、上記実施の形態に限定されず、本発明の趣旨を逸脱しない範囲内で種々な変形が可能である。例えば、上記実施の形態では、画像形成装置が有する各手段を、制御部と制御プログラムとによって実現したが、それらの一部または全部をハードウェアによって実現してもよい。
【００６７】
また、上記実施の形態で使用されるプログラムは、ＣＤ−ＲＯＭ等の記憶媒体から装置内の記憶部に読み込んでもよく、インターネット等のネットワークに接続されているサーバ等から装置内の記憶部にダウンロードしてもよい。
【図面の簡単な説明】
【００６８】
【図１】図１は、本発明の実施の形態に係る画像形成システムの概略構成の一例を示す全体図である。
【図２】図２は、画像形成装置の制御系の概略構成の一例を示すブロック図である。
【図３】図３は、トレイ設定情報の一例を示す図である。
【図４】図４は、画像形成装置の動作の一例を示すフローチャートである。
【符号の説明】
【００６９】
１…画像形成装置、２…本体、３…用紙搬送部、４…画像読取部、５…画像形成部、６…コントローラ、２０…操作表示部、２１Ａ〜２１Ｃ…給紙トレイ、２２…手差しトレイ、２３…排紙トレイ、２４…原稿供給トレイ、２５…原稿排出トレイ、２６…プラテン、３０…搬送路、３１…搬送ローラ、３２…用紙有無センサ、５０…露光部、５１…ミラー、５２…感光体ドラム、５３…転写部、５４…定着器、６０…制御部、６１…記憶部、６２…通信部、１００…画像形成システム、２００…ネットワーク、３００…情報処理装置、６００…画像処理手段、６０１…用紙搬送制御手段、６０２…用紙サイズ検出手段、６０３…不整合検知手段、６０４…トレイ設定情報管理手段、６１０…制御プログラム、６１１…トレイ設定情報、６１１ａ…設定値
【図１】
2010145513.tif 000003
【図２】
2010145513.tif 000004
【図３】
2010145513.tif 000005
【図４】
2010145513.tif 000006